(57)【要約】【課題】  被梱包物と共に梱包装置に収納される被収納物がその厚みや内容に制限されず、しかも取り出し位置が制限されない梱包装置及び梱包方法を提供すること。【解決手段】  被梱包物２を梱包する箱３からなる梱包装置１において、  箱３の一側面に挿入口５１を有し、箱３と被梱包物２との間に生じる空間６に形成された、被収納物４を収納する収納部５と、  挿入口５１に設けた蓋７と、  収納部５内に収納された被収納物４を保持する保持部材８と、を備えていることを特徴とする。【選択図】    図１
2006282223.tif 000002
【特許請求の範囲】
【請求項１】
被梱包物を梱包する箱からなる梱包装置において、
前記箱の一側面に挿入口を有し、該箱と前記被梱包物との間に生じる空間に形成された、被収納物を収納する収納部と、
前記挿入口に設けた蓋と、
前記収納部内に収納された被収納物を保持する保持部材と、
を備えていることを特徴とする梱包装置。
【請求項２】
前記保持部材は、両端に接着部を有し、一方の接着部が該収納部内の前記被収納物に接着され、他方の接着部が前記箱の一側面の外壁に接着される長さを有するテープからなることを特徴とする請求項１に記載の梱包装置。
【請求項３】
前記テープは、前記一側面上に露出する面に前記被収納物に対応した情報が記載された表示面を有することを特徴とする請求項２に記載の梱包装置。
【請求項４】
被梱包物を梱包する箱の一側面に挿入口を設けて該箱と被梱包物との間に生じる空間に被収納物を収納する収納部を形成し、前記被収納物にテープの一端を接続して前記収納部内に収納し、前記テープの他端を前記箱の一側面の外壁に接着し、前記挿入口を蓋で塞いで前記箱内に前記被梱包物と共に前記被収納物を収納することを特徴とする梱包方法。
【発明の詳細な説明】
【技術分野】
【０００１】
本発明は、被梱包物を梱包する箱を用いた梱包装置及び梱包方法に係り、特に前記被梱包物に関する取扱説明書、保証書等を該被梱包物と共に収納する梱包装置及び梱包方法に関するものである。
【背景技術】
【０００２】
通常、商品を流通させる際には梱包箱に商品本体を梱包する。そして、商品の保証書、取扱説明書等は商品と共に梱包箱に付している。保証書等は商品の販売の際に梱包箱から取り出して、購入日時や購入店名等を記入し再び梱包箱に添付する必要がある。一般的には、保証書等は汚れないようにポリ袋に入れて梱包箱にテープ止めされている。そのため、ポリ袋を用意するためにコストがかかり、またテープが外れて紛失してしまう等の欠点があった。
【０００３】
そこで、これらの欠点を改善したものとして例えば、下記の特許文献１で示す従来技術が提案されている。これは、梱包箱内に把手穴と連通する箱状の緩衝体を形成し、緩衝体の側面に保証書や取扱説明書の添付書類を保持する保持部を設けている。この保持部は、添付書類を挟持する挟持片と添付書類を挿入する穴とから成る。そして、添付書類はその上端を把手穴に臨ませて保持部により保持され、必要に応じて把手穴から出し入れするようになっている。
【０００４】
また、商品本体とその付属品とを一緒に梱包することが多い。その従来技術として下記の特許文献２で示すものが提案されている。これは換気扇本体と付属品のグリルとを一緒に収納する包装装置であって、換気扇本体の上方にグリルを配置して包装したものである。
【０００５】
更に、専用ゲーム機のゲームソフトのディスクケースとその付属品の梱包に関する従来技術が下記の特許文献３に開示されている。これは、独立して流通するゲームソフトのディスクケースを付属品と一緒に梱包する箱に関するものである。具体的には付属品を収納する箱の蓋にディスクケース収納部を連接して設けたものである。
【０００６】
【特許文献１】特開２００３−１３７２６６号公報（段落〔００３５〕〜〔００３８〕、図４）
【特許文献２】特開平５−１３２０７９号公報（段落〔０００９〕、図１）
【特許文献３】特開２００１−３０１８７３号公報（段落〔０００６〕、段落〔００２１〕〜〔００２３〕）
【発明の開示】
【発明が解決しようとする課題】
【０００７】
上記特許文献１で示す従来技術においては、確かに、保証書や取扱説明書等の添付書類は必要に応じて梱包箱内から取り出したり収納したりできる。しかし、収納に際しては挟持片及び穴に挿入して上端を把手穴に臨ませなければならない。そのため、特に添付書類が薄かったり厚かったりすると円滑に挟持片及び穴に挿入できないという問題点があった。また、添付書類以外の付属品は収納できる構成にはなっていなかったので、このままでは付属品を収納することができなかった。
【０００８】
また、上記特許文献２で示す従来技術においては、商品本体と付属品を一緒に包装することができるが、包装後には付属品だけを取り出すことができない。
【０００９】
同様に、上記特許文献３で示す従来技術においても、ディスクケースとその付属品を一緒に梱包するものであるが、やはり、梱包後に付属品だけを取り出すことができない。そのため、これらの従来技術にあっては、梱包された後に付属品を取り出す場合には、梱包を開かなければならず作業が面倒であるという問題点があった。
【００１０】
もちろん、上記特許文献１で示すように、梱包後に書類の取り出しを可能にした従来技術が存在するが、この従来技術においても、把手穴を利用して保持部を構成する挟持片と穴に書類を挿入するように構成されているため、利用できる書類には制限が生じる。また、保持部は側面の把手穴のある箇所だけに限定して設けられるため、書類が自由に出し入れできる保持部を任意の箇所に設けることができない等の問題点があった。
【００１１】
そこで、本発明は、被梱包物と共に梱包装置に収納される被収納物がその厚みや内容に制限されず、しかも取り出し位置が制限されない、従来の欠点を一掃した新規な梱包装置及び梱包方法を提供することを目的とする。
【課題を解決するための手段】
【００１２】
前記課題を解決するために、本願の請求項１に係る発明は、被梱包物を梱包する箱からなる梱包装置において、
前記箱の一側面に挿入口を有し、該箱と前記被梱包物との間に生じる空間に形成された、被収納物を収納する収納部と、
前記挿入口に設けた蓋と、
前記収納部内に収納された被収納物を保持する保持部材とを備えていることを特徴とする。
【００１３】
また、本願の請求項２に係る発明の梱包装置においては、前記請求項１に記載の前記保持部材は、両端に接着部を有し、一方の接着部が該収納部内の前記被収納物に接着され、他方の接着部が前記箱の一側面の外壁に接着される長さを有するテープからなることを特徴とする。
【００１４】
また、本願の請求項３に係る発明の梱包装置においては、前記請求項２に記載の前記テープは、前記一側面上に露出する面に前記被収納物に対応した情報が記載された表示面を有することを特徴とする。
【００１５】
本願の請求項４に係る発明の梱包方法は、被梱包物を梱包する箱の一側面に挿入口を設けて該箱と被梱包物との間に生じる空間に被収納物を収納する収納部を形成し、前記被収納物にテープの一端を接続して前記収納部内に収納し、前記テープの他端を前記箱の一側面の外壁に接着し、前記挿入口を蓋で塞いで前記箱内に前記被梱包物と共に前記被収納物を収納することを特徴とする。
【発明の効果】
【００１６】
本願の請求項１に係る発明の梱包装置においては、前記収納部は前記箱内に生じる空間を利用するだけであるため、前記挿入口を箱の所望の一側面に設けることが可能となるので、前記梱包装置を積み重ねた状態で側面から該収納部内の被収納物を自由に出し入れできる。
【００１７】
また、前記収納部の挿入口には前記蓋が設けられていると共に、該被収納物が保持部材により該収納部内に保持されているため、梱包装置の移送中に該被収納物が該収納部内から飛び出して紛失してしまう事故を確実に防ぐことのできる梱包装置を提供できる。
【００１８】
また、本願の請求項２に係る発明の梱包装置においては、前記収納物は前記収納部内から飛び出してしまった場合であっても、テープによって前記箱に接着されているため紛失することがない。また、前記テープは薄いので前記蓋が挿入口を塞ぐことに障害とならない。更に、前記収納物の保持は両端の接着部による接着だけでよく、一方、該収納物を取り出したり交換するときには、接着部を剥がして離脱させるだけでよいため、該収納物の内容を入れ替えたり、収納物そのものを交換する等の作業が簡単に確実に行なうことができる。
【００１９】
また、本願の請求項３に係る発明の梱包装置によれば、前記一側面上にある前記テープの表示面の記載内容により収納されている前記被収納物を特定できるのでその管理が容易かつ確実にできる。
【００２０】
また、本願の請求項４に係る発明の梱包方法によれば、前記収納部に収納された前記被収納物は、これを取り出すときに他端が一側面の外にある前記テープを引っ張ることにより該被収納物を引き出せる。したがって、その作業が容易にできる効果を有する。また、前記被収納物は前記テープとの接着によって前記箱と一体になっているので紛失してしまうなどの恐れがない。
【発明を実施するための最良の形態】
【００２１】
以下、本発明の具体例を実施例及び図面を用いて詳細に説明する。
なお、本発明の実施例に係る梱包装置を図１〜図３に示す。図１は本発明の実施例における梱包装置を示す断面図、図２は本発明の実施例における梱包装置の梱包状態を示す概略的な斜視図、図３は図１における保持部材を示す斜視図である。
【実施例１】
【００２２】
本実施例に係る梱包装置１は、その中に被梱包物２を収納する６面からなる箱３と、扁平状の箱からなり取扱説明書、保証書等を収めた被収納物４を収納するための収納部５とを有する。被梱包物２は、例えばプリンタであって排紙トレイ部が大きく後退している。そして、この後退部分は点線で示すように箱３との間において空間６が形成され、そこに収納部５が配置されている。収納部５には箱３の一側面に臨むように挿入口５１が形成されている。収納部５内には、挿入口５１を介して被収納物４が出し入れ可能になっている。被収納物４の挿入口５１には、上縁を支点として回動する蓋７が設けられている。
【００２３】
被収納物４は保持部材８によって箱３に保持されるようになっているが、保持部材８は、収納部５内から箱３の外壁に至る長さのテープ８１から構成され、テープ８１の両端には接着部８２、８３が形成され、テープ８１の片方の端面には表示部８４が形成されている。一方の接着部８２はテープ８１の一端における一方の面に設けられている。他方の接着部８３はテープ８１の他端における他方の面に設けられている。表示部８４はテープ８１の他端における一方の面に設けられている。
【００２４】
このような構成による梱包装置１は下記の方法で取り扱われる。箱３内に被梱包物２を入れて梱包する。被収納物４内には被梱包物２に対応した取扱説明書、保証書等を収める。そして、被収納物４の底面には保持部材８を形成するテープ８１の一端にある接着部８２で接着する。この状態で被収納物４を収納部５に挿入口５１から入れ、テープ８１の他端を箱３の外側に出しておく。次に、テープ８１の他端において箱３の側面の外壁を接着部８３で接着する。そして、挿入口５１は蓋７によって塞ぐ。この場合、テープ８１は薄いので蓋７が挿入口５１を塞ぐことに障害とならない。最後には、蓋７と箱３の側面は一体に保持するための透明な接着テープ９を貼る。
【００２５】
テープ８１の他端は一側面上に在るが、そこには表示部８４が位置しているので予め被収納物４の内容を示す情報を記載しておく。
【００２６】
このようにして、梱包装置１による梱包が完成され、販売先に輸送される。販売に際して、保証書に所定事項を記入するために、保証書を取り出す必要がある。この場合は、接着テープ９を剥がして蓋７を開いて収納部５内の被収納物４を引き出して保証書を取り出す。この取り出しにおいては、テープ８１を引っ張り出すことによって被収納物４を収納部５から容易に引き出すことができる。保証書への記入が完了した後は、再び被収納物４内に収めて収納部５に収納する。そして、蓋７を閉じてその上に接着テープ９を貼って購入者に引き渡す。
【００２７】
また、被梱包物２を梱包した梱包装置１は、例えば海外の販売拠点に多量に輸送される。そして、そこから言語が異なる各国に配送される。この販売拠点においては、配送先の言語の取扱説明書等とその言語で表示した表示部８４のテープ８１を用意し、製品としては同一である被梱包物２を梱包した箱３内に収納する。この収納方法は、積み重ねられた多量の梱包装置１におけるテープ８１のある一側面を表に出し、挿入口５１から所定の言語の取扱説明書等を収めた被収納物４にテープ８１の接着部８２を接着して収納部５に収納する。一方、表示部８４は被収納物４の内容に対応した情報が記載されたものを用いる。その後は、テープ８１の接着部８３を一側面の外壁に接着して蓋７を閉め、その上に接着テープ９を貼る。
【００２８】
この作業終了後は、表示部８４の表示内容に従って仕向け地先毎に梱包装置１を仕分けて発送すればよい。
【００２９】
このように取扱説明書等を現地でセットアップする以外に、被梱包物２を梱包後に、仕向け地先が変更になって取扱説明書等を変更することがある。また、被梱包物２を梱包後に、取扱説明書等を最新のものに変更することがある。これらの場合にあっても、上述した方法により、被収納物４を収納部５から取り出して新しい内容に入れ替えて再び収納すればよい。例えば、梱包後から販売までの期間経過において、取扱説明書、付属品等に変更が生じることがある。この場合、倉庫等に多量に積み重ねられていても、このままの状態で梱包装置１の側面から被収納物４だけを取り出して新しい内容のものに入れ替えることができる。そのため、作業が簡単に迅速にできる。
【００３０】
尚、本発明の実施例においては、被梱包物２はプリンタを例としたが、本発明はこれに限定されることなく、各種の機器を適用することができる。すなわち、収納部５は扁平であって大きな空間を必要としないので、機器に生じる狭い空間で十分に利用できるためである。
【００３１】
尚また、本発明の実施例においては、被収納物４に収めるものとして取扱説明書、保証書等の書面を例とした。しかし、本発明にあっては、これに限定されることなく、扁平な箱状の被収納物４に収まるものであればＣＤ−ＲＯＭ、ケーブル等の添付物品、付属部品であってもよい。また、被収納物４は箱状でなく袋状のものであってもよい等その形状を種々変更できる。
【００３２】
尚また、本発明の実施例においては、保持部材８としてテープ８１を用いたが、本発明はこれに限定されることなく他の部材を用いてもよい。また、接着部８２、８３は、粘着性の接着剤を用いるだけでなく、機械的に接合、離間される接着材を用いてもよく、更に磁石を用いてもよい等種々のものが適用できる。
【００３３】
尚また、本発明の実施例においては、表示部８４における表示は、文字、記号だけでなく、色彩でもって識別するようにしてもよい。
【図面の簡単な説明】
【００３４】
【図１】図１は、本発明の実施例における梱包装置を示す断面図である。
【図２】図２は、本発明の実施例における梱包装置の梱包状態を示す概略的な斜視図である。
【図３】図３は、図１における保持部材を示す斜視図である。
【符号の説明】
【００３５】
１      梱包装置
２      被梱包物
３      箱
４      被収納物
５      収納部
６      空間
７      蓋
８      保持部材
５１    挿入口
８１    テープ
８２、８３    接着部
８４    表示部
９      接着テープ
【図１】
2006282223.tif 000003
【図２】
2006282223.tif 000004
【図３】
2006282223.tif 000005